(57)【要約】  レンチキュラ印刷のための画像を選択する方法であって、ａ）複数の画像を有するシーケンスを受け取るステップと、ｂ）少なくとも１つのレンチキュラビューイング尺度に従って前記複数の画像の少なくとも一部を含むセグメントを選択するステップと、ｃ）レンチキュラ印刷を可能にするために前記セグメントを出力するステップとを含む方法。【選択図】図１
2010517130.tif 000002
【特許請求の範囲】
【請求項１】
レンチキュラ印刷のための画像を選択する方法であって、
ａ）複数の画像を有するシーケンスを受け取るステップと、
ｂ）少なくとも１つのレンチキュラビューイング尺度に従って前記複数の画像の少なくとも一部を含むセグメントを選択するステップと、
ｃ）レンチキュラ印刷を可能にするために前記セグメントを出力するステップと
を含む方法。
【請求項２】
ｂ）の前に前記シーケンスの複数のセグメントを加重するステップをさらに含み、各々の前記セグメントは前記少なくとも１つのレンチキュラビューイング尺度に対するそのコンプライアンスに応じて加重され、前記選択は前記加重に従って実行される、請求項１に記載の方法。
【請求項３】
ｂ）の前にレンチキュラビューイングに関連する複数のレンチキュラビューイング尺度を選択するステップをさらに含み、各々の前記セグメントは各々の前記レンチキュラビューイング尺度に対するそのコンプライアンスに従って加重され、前記選択は前記加重に従って実行される、請求項２に記載の方法。
【請求項４】
前記少なくとも１つのレンチキュラビューイング尺度の各々が所定の重みを有し、前記コンプライアンスはそれぞれの前記所定の重みに従って加重される、請求項２に記載の方法。
【請求項５】
前記ｂ）の前に前記複数の画像を位置合わせするステップをさらに含む、請求項１に記載の方法。
【請求項６】
前記少なくとも１つのレンチキュラビューイング尺度は、ダイナミックス尺度、内容尺度、および品質尺度を含む群から選択されたメンバを含む、請求項１に記載の方法。
【請求項７】
前記選択されたメンバは前記内容尺度であり、前記ｂ）は、前記セグメントの少なくとも１つの画像における顔の存在、前記セグメントの少なくとも１つの画像における所定の特徴を持つ被写体の存在、前記セグメントの少なくとも１つの画像における身体器官の存在、および前記セグメントの少なくとも１つの画像における動物の存在を含む群から選択されたメンバに従って前記セグメントを選択することを含む、請求項６に記載の方法。
【請求項８】
被写体の少なくとも１つの特徴を学習するステップをさらに含み、前記少なくとも１つのレンチキュラビューイング尺度は前記被写体の存在を含み、前記ｂ）は、前記セグメントの少なくとも１つの画像で前記少なくとも１つの特徴を識別するステップを含む、請求項１に記載の方法。
【請求項９】
前記選択されたメンバは前記ダイナミックス尺度であり、前記ｂ）は、前記セグメントの少なくとも１つの画像で所定の閾値を超える動きを識別するステップを含む、請求項６に記載の方法。
【請求項１０】
前記ｂ）は、所定の特徴を有する被写体を識別するステップを含み、前記動きが前記被写体に関連する、請求項９に記載の方法。
【請求項１１】
前記選択されたメンバは前記品質尺度であり、前記ｂ）は、前記セグメントの少なくとも１つの画像のぼけレベル、前記セグメントの少なくとも１つの画像の画像鮮鋭度レベル、および前記セグメントの少なくとも１つの画像の画像輝度レベルを含む群から選択されたメンバに従って前記セグメントを選択するステップを含む、請求項６に記載の方法。
【請求項１２】
前記セグメントの画像をインタレースしてレンチキュラ印刷のためのインタレース画像を作成することが可能である、請求項１に記載の方法。
【請求項１３】
前記ｃ）の後で、レンチキュラ印刷に使用される少なくとも１つのレンチキュラレンズに従って前記セグメントの少なくとも１つの画像を調整するステップをさらに含む、請求項１に記載の方法。
【請求項１４】
前記調整するステップは、品質基準に従って前記セグメントの画像のサブセットを選択するステップを含み、前記サブセットはレンチキュラ印刷のためのインタレース画像を作成するために使用される、請求項１３に記載の方法。
【請求項１５】
前記選択されたメンバは前記品質尺度であり、前記ｂ）は、複数のセグメントを検査するステップを含み、さらに各々の前記セグメントに対し前記セグメントの少なくとも１つの画像から生成されたレンチキュラ画像のぼけをエミュレートし、かつ前記ぼけに加重するステップを含み、前記ｂ）はさらに、前記加重されたぼけに従って前記セグメントを選択するステップを含む、請求項６に記載の方法。
【請求項１６】
前記ぼけは、前記レンチキュラ画像の見込みレンチキュラレンズによって生じるぼけ、および前記少なくとも１つの画像から生成されるインタレース画像の印刷の推定品質を含む群から選択されるメンバである、請求項１５に記載の方法。
【請求項１７】
前記選択されたメンバは前記品質尺度であり、見込みレンチキュラレンズを較正するために設定された較正値を識別するステップをさらに含み、インタレース画像は、前記品質尺度を定義するために前記較正値を使用して、前記セグメントの少なくとも１つの画像から生成される、請求項６に記載の方法。
【請求項１８】
前記ｂ）の前に、使用者に前記複数の画像の少なくとも一部を含むサブシーケンスを選択させるステップを含み、前記選択は前記サブシーケンスから実行される、請求項１７に記載の方法。
【請求項１９】
前記使用者に前記複数の画像から少なくとも１つのアンカ画像を選択させるステップを含み、前記選択は前記少なくとも１つのアンカ画像を基準にして実行される、請求項１８に記載の方法。
【請求項２０】
前記ｂ）の後に、前記セグメントの画像を位置合わせするステップをさらに含む、請求項１に記載の方法。
【請求項２１】
前記位置合わせするステップは、前記セグメントの少なくとも１つの画像から生成されたレンチキュラ画像のぼけをエミュレートするステップを含み、前記位置合わせはさらに、前記エミュレートされたぼけの効果に従って前記セグメントの前記画像を位置合わせすることを含む、請求項２０に記載の方法。
【請求項２２】
前記ぼけは、所定の視距離におけるぼけ、前記レンチキュラ画像の見込みレンチキュラレンズによって生じるぼけ、前記セグメントの前記少なくとも１つの画像から生じるインタレース画像の印刷の推定品質、および前記インタレース画像のラミネーションの推定品質を含む群から選択されたメンバである、請求項２１に記載の方法。
【請求項２３】
前記選択は、前記シーケンスの複数のセグメントを一組の好適なセグメントと照合することを含み、前記好適なセグメントの組における少なくとも１つのセグメントは、それぞれの少なくとも１つのレンチキュラビューイング尺度に適合し、前記セグメントは、前記照合に従って前記複数のセグメントから選択される、請求項１に記載の方法。
【請求項２４】
レンチキュラ印刷用のインタレース画像を作成するための装置であって、
複数の画像を有するシーケンスを受け取るように構成された入力ユニットと、
少なくとも１つのレンチキュラビューイング尺度を選択するように構成されたプリファレンスモジュールと、
前記レンチキュラビューイング尺度に従って前記シーケンスのセグメントを選択するように構成された選択モジュールと、
前記セグメントの少なくとも２つの画像をインタレースしてレンチキュラ印刷用のインタレース画像にするように構成されたインタレーシングモジュールと
を備える装置。
【請求項２５】
複数の好適なセグメントを格納するデータベースをさらに備え、前記選択モジュールは、前記選択のために前記複数の好適なセグメントを使用するように構成され、前記複数の好適なセグメントのうちの少なくとも１つは、それぞれの少なくとも１つのレンチキュラビューイング尺度に適合する、請求項２４に記載の装置。
【請求項２６】
レンチキュラ印刷用のインタレース画像を作成するための方法であって、
ａ）複数の画像を受け取るステップと、
ｂ）非剛体変換を用いて前記複数の画像で自動的に位置合わせするステップと、
ｃ）レンチキュラ印刷を可能にするために前記位置合わせされた複数の画像を出力するステップと
を含む方法。
【請求項２７】
前記位置合わせは、レンチキュラ印刷画像の品質を改善するために実行される、請求項２６に記載の方法。
【請求項２８】
前記ｂ）の前に、前記複数の画像の少なくとも一部から生成されたレンチキュラ画像のぼけをエミュレートするステップをさらに含み、前記自動位置合わせは前記ぼけを考慮しながら実行される、請求項２６に記載の方法。
【請求項２９】
前記ぼけは、前記レンチキュラ画像の見込みレンチキュラレンズによって生じたぼけ、および前記複数の画像から生成されたインタレース画像の印刷の推定品質を含む群から選択されたメンバである、請求項２８に記載の方法。
【請求項３０】
前記ｃ）の前に、少なくとも１つの画像の視野を拡張するステップをさらに含む、請求項２６に記載の方法。
【請求項３１】
レンチキュラ印刷用の画像を選択する方法であって、
ａ）複数の画像を有するシーケンスを第１ネットワークノードで受信するステップと、
ｂ）少なくとも１つのレンチキュラビューイング尺度に従って前記シーケンスのセグメントを識別するステップと、
ｃ）レンチキュラ印刷を可能にするために前記セグメントを第２ネットワークノードに送信するステップと
を含む方法。
【請求項３２】
前記第１ネットワークノードはサーバであり、前記第２ネットワークノードは、ユーザインタフェースを有するクライアント端末である、請求項３１に記載の方法。
【請求項３３】
前記識別は第３ネットワークノードによって実行される、請求項３１に記載の方法。
【請求項３４】
前記第１ネットワークノードはユーザインタフェースを有するクライアント端末であり、前記第２ネットワークノードはレンチキュラ印刷ユニットであり、前記第３ネットワークノードは処理ユニットである、請求項３３に記載の方法。
【請求項３５】
前記少なくとも１つのレンチキュラビューイング尺度を選択するために使用者に前記ユーザインタフェースを使用させるステップをさらに含む、請求項３４に記載の方法。
【請求項３６】
前記複数の画像から少なくとも１つのアンカ画像を選択させるために使用者に前記ユーザインタフェースを使用させるステップをさらに含み、前記識別は前記少なくとも１つのアンカ画像を基準にして実行される、請求項３１に記載の方法。
【請求項３７】
前記セグメントを使用者に対して表示するためにユーザインタフェースを使用し、ｃ）の前に前記表示されたセグメントのコンフォメーションを受信するステップをさらに含む、請求項３４に記載の方法。
【請求項３８】
使用者に前記少なくとも１つのレンチキュラビューイング尺度を選択させるステップをさらに含む、請求項３３に記載の方法。
【請求項３９】
前記第１ネットワークノードはユーザインタフェースサーバを有するクライアント端末であり、前記第２ネットワークノードはサーバである、請求項３３に記載の方法。
【請求項４０】
少なくとも１つのレンチキュラレンズと、
前記レンチキュラレンズ、前記インタレース画像を印刷するために使用されるプリンタの印刷の推定品質、および前記インタレース画像のラミネーションの推定品質からなる群から選択されるメンバによって生じるぼけに従って構成されるインタレース画像と
を含む、レンチキュラビューイングのための物品。
【発明の詳細な説明】
【技術分野】
【０００１】
本発明は、その一部の実施形態ではレンチキュラ印刷に関し、さらに詳しくは、レンチキュラ印刷を改良するための装置および方法に関するが、それらに限定されない。
【背景技術】
【０００２】
レンチキュラ印刷は、少なくとも２つの既存の画像からレンチキュラ画像を作成すること、およびそれをレンチキュラレンズと結合することから構成されるプロセスである。このプロセスは、例えば観察者に三次元（３Ｄ）効果を与えるために異なる増分で種々のレイヤを、観察者に動き効果を与えるアニメーションの種々のフレームを、観察者には各々が交互に交代するように見える一組の交互画像を、オフセット印刷することによって動画像を作成するために使用することができる。ひとたび種々の画像が収集されると、それらは個別の異なるフレームファイル内に平坦化され、次いでインタレーシングと呼ばれるプロセスで単一の最終ファイルにデジタル合成される。
【０００３】
アニメーション効果または三次元効果を大量複製技術として生み出すレンチキュラ印刷は、かなり以前の１９４０年に始まった。今日の世界中のレンチキュラ画像の圧倒的大多数を占めるレンチキュラ印刷の最も一般的な方法は、合成インタレース画像をレンチキュラレンズシートの下面に直接リソグラフ印刷することである。
【０００４】
レンチキュラ印刷プロセスを改良するための多数の方法およびシステムが公知である。例えば１９９５年１２月１１日出願の米国特許第５７３７０８７号は、映像記録装置に記録された映像の動きシーケンスからハードコピー動画像を形成するための方法および装置を記載している。映像の動きシーケンスが再生され、オペレータは一連の動きを含む画面を選択し、それはメモリに格納される。観察者の目と印刷媒体上に位置するレンチキュラまたはバリアスクリーンとの間の角度を変えることによって、選択された動きを含む画面を順番に見ることができるように、集積画像が印刷媒体上に印刷される。
【０００５】
別の例が１９９８年４月８日出願の米国特許第６１９８５４４号に提示されており、それは、ビデオテープに以前に記録された一連のビデオフレームから使用者によって選択された映像のフレームからモーションカードを形成するためのシステムを開示しており、ビデオテーププレーヤを含むキオスクを組み込んであり、プロセッサはビデオテーププレーヤから一連のビデオフレームを受け取り、プロセッサが受け取った選択された範囲のビデオフレームを表示するためにディスプレイが使用され、プレビュー表示のために表示された選択範囲のビデオフレームから使用者がビデオフレームを選択することを可能にするための使用者のための段階的な対話指示は、あたかもビデオフレームがモーションカードに形成されたかのように、表示されたモーションカードと形成されるモーションカードとの間の高い一致度をもたらすように、ビデオフレームの処理および表示を可能にすることによって改善される。形成されるモーションカードに存在する隣接効果の可視シミュレーションは、形成されるモーションカードに使用されるフレームの選択をオペレータが改善することを可能にする。加えて、編集ソフトウェアは、表示されたモーションカードの内容を使用者の好みに合うように効果的に変更するために、選択された映像フレームのシーケンスからビデオフレームを使用者が再選択することを可能にする。キオスクに位置するかまたはキオスクと通信するプリンタおよびラミネータは、選択されたフレームをカードシート上にインタリーブ方式で印刷し、かつディスプレイ上にプレビュー表示された動画像を複製したモーションカードがもたらされるように、インタリーブ印刷の上からレンチキュラシートをラミネートするために使用される。米国特許第６５３２６９０号は、レンチキュラ画像がその上に形成された物品、および物品の動きに対して調和した音声メッセージを生成するために物品に関連付けられた音声生成機構を開示している。レンチキュラ画像を所定の経路に沿って動かし、かつ音声メッセージをレンチキュラ画像の動きと調和させるための機構も提供される。レンチキュラ画像に対する観察者の視線または距離に対し、異なる音声セグメントを作動させることができる。
【発明の概要】
【０００６】
本発明の一部の実施形態の一態様では、レンチキュラ印刷のための画像を選択する方法を提供する。該方法は、ａ）複数の画像を有するシーケンスを受け取るステップと、ｂ）少なくとも１つのレンチキュラビューイング尺度に従って複数の画像の少なくとも一部を含むセグメントを選択するステップと、ｃ）レンチキュラ印刷を可能にするために該セグメントを出力するステップとを含む。
【０００７】
任意選択的に、該方法はさらに、ｂ）の前にシーケンスの複数のセグメントを加重するステップを含み、各々のセグメントは少なくとも１つのレンチキュラビューイング尺度に対するそのコンプライアンスに応じて加重され、選択は加重に従って実行される。
【０００８】
任意選択的に、該方法はさらに、ｂ）の前にレンチキュラビューイングに関連する複数のレンチキュラビューイング尺度を選択するステップを含み、各々のセグメントは各々のレンチキュラビューイング尺度に対するそのコンプライアンスに従って加重され、選択は加重に従って実行される。
【０００９】
より任意選択的に、レンチキュラビューイング尺度の各々が所定の重みを有し、コンプライアンスはそれぞれの所定の重みに従って加重される。
【００１０】
任意選択的に、該方法はさらに、ｂ）の前に複数の画像を位置合わせするステップを含む。
【００１１】
任意選択的に、少なくとも１つのレンチキュラビューイング尺度は、ダイナミックス尺度、内容尺度、および品質尺度を含む群から選択されたメンバを含む。
【００１２】
より任意選択的に、選択されたメンバは内容尺度であり、ｂ）はさらに、セグメントの少なくとも１つの画像における顔の存在、セグメントの少なくとも１つの画像における所定の特徴を持つ被写体の存在、セグメントの少なくとも１つの画像における身体器官の存在、およびセグメントの少なくとも１つの画像における動物の存在を含む群から選択されたメンバに従ってセグメントを選択することを含む。
【００１３】
任意選択的に、該方法は被写体の少なくとも１つの特徴を学習するステップを含み、少なくとも１つのレンチキュラビューイング尺度は被写体の存在を含み、ｂ）は、セグメントの少なくとも１つの画像で少なくとも１つの特徴を識別するステップを含む。
【００１４】
任意選択的に、選択されたメンバはダイナミックス尺度であり、ｂ）はさらに、セグメントの少なくとも１つの画像で所定の閾値を超える動きを識別するステップを含む。
【００１５】
より任意選択的に、ｂ）はさらに、所定の特徴を有する被写体を識別するステップを含み、その動きが該被写体に関連する。
【００１６】
より任意選択的に、選択されたメンバは品質尺度であり、ｂ）はさらに、セグメントの少なくとも１つの画像のぼけレベル、セグメントの少なくとも１つの画像の画像鮮鋭度レベル、およびセグメントの少なくとも１つの画像の画像輝度レベルを含む群から選択されたメンバに従ってセグメントを選択するステップを含む。
【００１７】
任意選択的に、セグメントの画像をインタレースしてレンチキュラ印刷のためのインタレース画像を作成することが可能である。
【００１８】
任意選択的に、該方法はさらに、ｃ）の後で、レンチキュラ印刷に使用される少なくとも１つのレンチキュラレンズに従ってセグメントの少なくとも１つの画像を調整するステップを含む。
【００１９】
より任意選択的に、調整ステップは、品質基準に従ってセグメントの画像のサブセットを選択するステップを含み、サブセットはレンチキュラ印刷のためのインタレース画像を作成するために使用される。
【００２０】
より任意選択的に、選択されたメンバは品質尺度であり、ｂ）はさらに複数のセグメントを検査するステップを含み、さらに各々のセグメントに対しセグメントの少なくとも１つの画像から生成されたレンチキュラ画像のぼけをエミュレートし、かつぼけに加重するステップを含み、ｂ）はさらに、加重されたぼけに従ってセグメントを選択するステップを含む。
【００２１】
より任意選択的に、ぼけは、レンチキュラ画像の見込みレンチキュラレンズによって生じるぼけ、および少なくとも１つの画像から生成されるインタレース画像の印刷の推定品質を含む群から選択されるメンバである。
【００２２】
より任意選択的に、選択されたメンバは品質尺度であり、見込みレンチキュラレンズを較正するために設定された較正値を識別するステップをさらに含み、インタレース画像は、品質尺度を定義するために較正値を使用して、セグメントの少なくとも１つの画像から生成される。
【００２３】
より任意選択的に、該方法はさらに、ｂ）の前に、使用者に複数の画像の少なくとも一部を含むサブシーケンスを選択させるステップを含み、選択はサブシーケンスから実行される。
【００２４】
より任意選択的に、該方法はさらに、使用者に複数の画像から少なくとも１つのアンカ画像を選択させるステップを含み、選択は少なくとも１つのアンカ画像を基準にして実行される。
【００２５】
より任意選択的に、該方法はさらに、ｂ）の後にセグメントの画像を位置合わせするステップを含む。
【００２６】
より任意選択的に、該方法はさらに、セグメントの少なくとも１つの画像から生成されたレンチキュラ画像のぼけをエミュレートするステップを含み、位置合わせはさらに、エミュレートされたぼけの効果に従ってセグメントの画像を位置合わせすることを含む。
【００２７】
より任意選択的に、ぼけは、所定の視距離におけるぼけ、レンチキュラ画像の見込みレンチキュラレンズによって生じるぼけ、セグメントの少なくとも１つの画像から生じるインタレース画像の印刷の推定品質、およびインタレース画像のラミネーションの推定品質を含む群から選択されたメンバである。
【００２８】
任意選択的に、選択は、シーケンスの複数のセグメントを一組の好適なセグメントと照合することを含む。好適なセグメントの組における１つ以上のセグメントは、それぞれの少なくとも１つのレンチキュラビューイング尺度に適合する。セグメントは、照合に従って複数のセグメントから選択される。
【００２９】
本発明の一部の実施形態の一態様では、レンチキュラ印刷用のインタレース画像を作成するための装置を提供する。該装置は、複数の画像を有するシーケンスを受け取るように構成された入力ユニットと、少なくとも１つのレンチキュラビューイング尺度を選択するように構成されたプリファレンスモジュールと、レンチキュラビューイング尺度に従ってシーケンスのセグメントを選択するように構成された選択モジュールと、セグメントの少なくとも２つの画像をインタレースしてレンチキュラ印刷用のインタレース画像にするように構成されたインタレーシングモジュールとを備える。
【００３０】
任意選択的に、該装置はさらに、複数の好適なセグメントを格納するデータベースを備える。複数の好適なセグメントのうちの１つ以上は、それぞれの少なくとも１つのレンチキュラビューイング尺度に適合する。選択モジュールは、選択のために複数の好適なセグメントを使用するように構成される。
【００３１】
本発明の一部の実施形態の一態様では、レンチキュラ印刷用のインタレース画像を作成するための方法を提供する。該方法は、ａ）複数の画像を受け取るステップと、ｂ）非剛体変換を用いて複数の画像で自動的に位置合わせするステップと、ｃ）レンチキュラ印刷を可能にするために位置合わせされた複数の画像を出力するステップとを含む。
【００３２】
任意選択的に、位置合わせは、レンチキュラ印刷画像の品質を改善するために実行される。
【００３３】
任意選択的に、該方法はさらに、ｂ）の前に、複数の画像の少なくとも一部から生成されたレンチキュラ画像のぼけをエミュレートするステップを含み、自動位置合わせはぼけを考慮しながら実行される。
【００３４】
任意選択的に、ぼけは、レンチキュラ画像の見込みレンチキュラレンズによって生じたぼけ、および複数の画像から生成されたインタレース画像の印刷の推定品質を含む群から選択されたメンバである。
【００３５】
任意選択的に、該方法はさらに、ｃ）の前に、少なくとも１つの画像の視野を拡張するステップを含む。
【００３６】
本発明に係る一部の実施形態の一態様では、レンチキュラ印刷用の画像を選択する方法を提供する。該方法は、ａ）複数の画像を有するシーケンスを第１ネットワークノードで受信するステップと、ｂ）少なくとも１つのレンチキュラビューイング尺度に従ってシーケンスのセグメントを識別するステップと、ｃ）レンチキュラ印刷を可能にするためにセグメントを第２ネットワークノードに送信するステップとを含む。
【００３７】
任意選択的に、第１ネットワークノードはサーバであり、第２ネットワークノードは、ユーザインタフェースを有するクライアント端末である。
【００３８】
任意選択的に、識別は第３ネットワークノードによって実行される。
【００３９】
より任意選択的に、第１ネットワークノードはユーザインタフェースを有するクライアント端末であり、第２ネットワークノードはレンチキュラ印刷ユニットであり、第３ネットワークノードは処理ユニットである。
【００４０】
より任意選択的に、該方法はさらに、少なくとも１つのレンチキュラビューイング尺度を選択するために使用者にユーザインタフェースを使用させるステップを含む。
【００４１】
任意選択的に、該方法はさらに、複数の画像から少なくとも１つのアンカ画像を選択させるために使用者にユーザインタフェースを使用させるステップを含み、識別は少なくとも１つのアンカ画像を基準にして実行される。
【００４２】
任意選択的に、該方法はさらに、セグメントを使用者に対して表示するためにユーザインタフェースを使用するステップ、およびｃ）の前に表示されたセグメントのコンフォメーションを受信するステップを含む。
【００４３】
任意選択的に、該方法はさらに、使用者に少なくとも１つのレンチキュラビューイング尺度を選択させるステップを含む。
【００４４】
任意選択的に、第１ネットワークノードはユーザインタフェースサーバを有するクライアント端末であり、第２ネットワークノードはサーバである。
【００４５】
本発明に係る一部の実施形態の一態様では、少なくとも１つのレンチキュラレンズと、レンチキュラレンズによって生じるぼけ、インタレース画像を印刷するために使用されるプリンタの印刷の推定品質、および／またはインタレース画像のラミネーションの推定品質に従って構成されるインタレース画像とを含む、レンチキュラビューイングのための物品を提供する。
【００４６】
別途定義されない限り、本明細書中で使用されるすべての技術的用語および／または科学的用語は、本発明が属する技術分野の当業者によって一般に理解されるのと同じ意味を有する。本明細書中に記載される方法および材料と類似または同等である方法および材料を本発明の実施形態の実施または試験において使用することができるが、例示的な方法および／または材料が下記に記載される。矛盾する場合には、定義を含めて、本特許明細書が優先する。加えて、材料、方法および実施例は例示にすぎず、限定であることは意図されない。
【００４７】
本発明の実施形態の方法、装置、および／またはシステムを実行することは、選択されたタスクを、手動操作で、自動的にまたはそれらを組み合わせて実行または完了することを含むことができる。さらに、本発明の方法、装置、および／またはシステムの実施形態の実際の機器や装置によって、いくつかの選択されたタスクが、ハードウェア、ソフトウェア、またはファームウェア、あるいはオペレーティングシステムを用いるそれらの組合せによって実行されることができる。
【００４８】
例えば、本発明の実施形態による選択されたタスクを実行するためのハードウェアは、チップまたは回路として実施されることができる。ソフトウェアとして、本発明の実施形態により選択されたタスクは、コンピュータが適切なオペレーティングシステムを使って実行する複数のソフトウェアの命令のようなソフトウェアとして実施されることができる。本発明の例示的な実施形態において、本明細書中に記載される方法、装置、および／またはシステムの例示的な実施形態による１つ以上のタスクは、データプロセッサ、例えば複数の命令を実行する計算プラットフォームで実行される。任意選択的に、データプロセッサは、命令および／またはデータを格納するための揮発性メモリ、および／または、命令および／またはデータを格納するための不揮発性記憶装置（例えば、磁気ハードディスク、および／または取り外し可能な記録媒体）を含む。任意選択的に、ネットワーク接続もさらに提供される。ディスプレイおよび／またはユーザ入力装置（例えば、キーボードまたはマウス）も、任意選択的にさらに提供される。
【００４９】
本明細書では本発明のいくつかの実施形態を単に例示し添付の図面を参照して説明する。特に詳細に図面を参照して、示されている詳細が例示として本発明の実施形態を例示考察することだけを目的としていることを強調するものである。この点について、図面について行う説明によって、本発明の実施形態を実施する方法は当業者には明らかになるであろう。
【図面の簡単な説明】
【００５０】
【図１】本発明の一部の実施形態に係る、レンチキュラ印刷用のインタレース画像を作成するための装置の略図である。
【図２】本発明の一部の実施形態に係る、レンチキュラ印刷用の複数の画像を選択するための方法のフローチャートである。
【図３】本発明の一部の実施形態に係る、レンチキュラ印刷用のシーケンスのセグメントを選択するための方法のフローチャートである。
【図４】レンチキュラレンズの例示的配列、およびレンチキュラレンズの裏面に印刷される物理画素の配列の断面図である。
【図５】本発明の一部の実施形態に係る、レンチキュラ印刷用のシーケンスのセグメントを選択するための例示的プロセスのフローチャートである。
【図６】本発明の一部の実施形態に係る、品質尺度を定義するための１つ以上の較正値を識別するための較正パターンである。
【図７】本発明の一部の実施形態に係る、図６の較正パターンの例示的テンプレートの一組の略図である。
【図８】本発明の一部の実施形態に係る、レンチキュラ画像用のインタレース画像を生成するための方法のフローチャートである。
【図９】本発明の一部の実施形態に係る、図１に示したセグメントの画像のような一連の画像を位置合わせするための費用関数を示すフローチャートである。
【図１０】本発明の一部の実施形態に係る動画像を生成するためのシステムの略図である。
【図１１】本発明の一部の実施形態に係る、自動的に検出されたセグメントの１つを使用者に選択させるユーザインタフェースの略図である。
【図１２】本発明の一部の実施形態に係る、動画像を生成するための方法のフローチャートである。
【発明を実施するための形態】
【００５１】
本発明は、その一部の実施形態では、レンチキュラ印刷に関し、さらに詳しくは、レンチキュラ印刷を改良するための装置および方法に関するが、それらに限定されない。
【００５２】
本発明の一部の実施形態の一態様では、レンチキュラ印刷用の画像を選択する装置および方法を提供する。該装置および方法は、好適なレンチキュラ画像を作成するのに適したセグメントの特徴を定義するレンチキュラビューイング尺度に適合するシーケンスの１つ以上のセグメントの識別を可能にする。本書で使用する場合、好適なレンチキュラ画像とは、鮮鋭度および／または輝度のような品質尺度、局所的および／または大域的動きのようなダイナミックス尺度、ならびにシーケンスの画像における人の顔またはペットの存在のような内容尺度に適合する画像である。該方法は、ビデオシーケンスのようなシーケンスを受け取るステップと、１つ以上のレンチキュラビューイング尺度に従ってシーケンスのセグメントを選択するステップと、レンチキュラ印刷を可能にするためにセグメントを出力するステップとを含む。
【００５３】
本発明の一部の実施形態の別の態様では、インタレース画像に付着させられたレンチキュラレンズによって生じるぼけおよび／またはジオメトリ、ならびに／またはインタレース画像の印刷の品質を考慮しながら、インタレース画像を位置合わせするステップを含む、レンチキュラ印刷用のインタレース画像を作成するための方法を提供する。
【００５４】
本発明の一部の実施形態の別の態様では、レンチキュラ画像を処理するために使用者に遠隔リソースを使用させる、ネットワークベースのレンチキュラ印刷を提供する。実施形態は、使用者が１つの地理的位置に配置されたクライアント端末を使用し、別の地理的位置に格納された画像のシーケンスを選択し、シーケンスの処理のためにサーバのような遠隔コンピューティングユニットを使用し、任意選択的にクライアント端末で好適なレンチキュラ画像を作成するのに適したセグメントを受信することを可能にする方法およびシステムを開示する。
【００５５】
本発明の少なくとも１つの実施形態を詳しく説明する前に、本発明は、その適用において、下記の記載に示されるか、および／または、図面および／または実施例において例示される構成要素および／または方法の組み立ておよび構成の細部に必ずしも限定されないことを理解しなければならない。本発明は他の実施形態が可能であり、または様々な方法で実施または実行されることが可能である。
【００５６】
ここで図１を参照すると、それは、本発明の一部の実施形態に係る、レンチキュラ印刷用のインタレース画像５１を作成するための装置５０の略図である。装置５０は、任意選択的にシーケンス５２に提供された多数の画像を受け取る入力ユニット５３を含む。本書で使用する場合、シーケンスとは、一連の逐次順序付けられた画像、ビデオシーケンス、または任意の他の一連のシーケンシャル画像のような典型的な時空間信号を意味する。装置５０はさらに、レンチキュラビューイングに関連する１つ以上のレンチキュラビューイング尺度を定義かつ／または選択するためのプリファレンスモジュール５４を備える。レンチキュラビューイング尺度は、１つ以上の内容尺度、ダイナミックス尺度、および／または品質尺度を含むことができる。プリファレンスモジュール５４は、装置の使用者から受け取る入力に従って、かつ／または受け取ったシーケンス５２の特徴に従って自動的に、１つ以上のレンチキュラビューイング尺度を選択することができる。任意選択的に、プリファレンスモジュール５４は、一定の組のレンチキュラビューイング尺度を提供する。
【００５７】
レンチキュラビューイング尺度およびシーケンス５２は選択モジュール５５に転送され、選択モジュール５５は転送されたレンチキュラビューイング尺度に適合するシーケンス５２のセグメント５６を識別する。１つ以上の適合セグメント５６がインタレーシングモジュール５７に転送され、インタレーシングモジュールはそこからインタレース画像５１をインタレースする。本書で使用する場合、セグメントとは、シーケンス５２から取り出される一連の画像を意味する。一連の画像は、以下で図５に関連して述べるように、任意選択的に所定の個数の画像または任意の個数の画像を含むことができる。
【００５８】
インタレーシングモジュール５７は時空間シーケンスからインタレース画像を生成することに限定されず、三次元画像の生成のような他のレンチキュラ印刷用途に使用することができることに注目されたい。
【００５９】
さらに、本書で以下に開示する実施形態は、レンチキュラビューイング、印刷、および／または画像に関連して記載するが、それらはレンチキュラビューイング、印刷、および／または画像に限定されず、他の用途および技術に使用することができることに注目されたい。
【００６０】
ここで図２についても参照すると、それは、本発明の一部の実施形態に係る、レンチキュラ印刷用の複数の画像を選択するための方法のフローチャートである。最初に、１００に示す通り、シーケンス５２が提供される。次いで、１０１に示す通り、レンチキュラビューイングに関連する１つ以上のレンチキュラビューイング尺度が下述の通り、任意選択的に選択される。
【００６１】
任意選択的に、装置５０の使用者はシーケンス５２を区切る。任意選択的に、使用者は、１０２で検査されるシーケンスの中心、１０２で検査されるシーケンスの境界および／またはフレームの個数もしくはシーケンスの長さを画定するフレームを選択し、それを本書ではアンカフレームと呼ぶ。そのような方法で、シーケンスの全部が解析されるわけではなく、図２に示される方法の計算の複雑性が軽減される。任意選択的に、装置５０は、使用者にシーケンス５２における所望のセグメントを選択させるためのユーザインタフェースを含む。
【００６２】
レンチキュラビューイング尺度が選択された後、１０２に示す通り、レンチキュラビューイング尺度に適合するシーケンスの１つ以上のセグメントが、例えば５６に示すように識別される。任意選択的に、レンチキュラビューイング尺度に適合するセグメントは、下述の通り任意選択的に、レンチキュラビューイング尺度に対するそれらのコンプライアンスのレベルに従って加重される。
【００６３】
１０３に示す通り、例えば５６に示すような適合シーケンスの１つ以上がここで出力される。任意選択的に、出力されるシーケンスは、レンチキュラビューイング尺度に対して最も高いコンプライアンスレベルを有するシーケンスである。出力されたシーケンスは任意選択的に、そこからレンチキュラ印刷用のインタレース画像５１を作成する、５７に示すようなインタレーシングモジュールに転送される。任意選択的に、インタレース画像５１は、動画像を生成するためにレンチキュラレンズと結合される。本書で使用する場合、レンチキュラレンズとは、レンチキュラレンズ、拡大レンズアレイ、一組のレンチキュラレンズ、およびパララックスバリアを意味する。
【００６４】
ここで図３を参照すると、それは、本発明の一部の実施形態に係る、レンチキュラ印刷用のシーケンスのセグメントを選択するための方法のフローチャートである。ブロック１００〜１０３は図２に示す通りであるが、図３はさらに、１つ以上のレンチキュラビューイング尺度に適合する１つ以上のセグメントを識別するための例示的プロセス、および１０２の前にシーケンスの画像の位置合わせを示す追加ブロックを示す。
【００６５】
１５０に示す通り、画像のシーケンスが提供された後、画像は、任意選択的にアフィンモーションモデルを用いて位置合わせされる。任意選択的に、画像は、１９９７年７月１８日出願の米国特許第６０７５９０５号に記載するように位置合わせされる。
【００６６】
１０２に示しかつ上述した通り、シーケンスが提供されかつ位置合わせされた後、レンチキュラビューイング尺度の１つ以上に適合するセグメントを識別するためのプロセスが開始される。１５１に示す通り、セグメントは任意選択的に、順次検査される。レンチキュラビューイング尺度の１つ以上に対するシーケンスの画像のコンプライアンスを１つずつ検査することもできることに注目されたい。
【００６７】
本発明の一部の実施形態では、任意選択的に、１５５に示す通り、レンチキュラビューイング尺度は、検査されるセグメントの画像に示された内容に関連する１つ以上の内容尺度を含む。そのような実施形態では、セグメントの画像の各々において所定の特徴を持つ被写体の存在が探索される。任意選択的に、レンチキュラビューイング尺度は、人の顔、人体、人間の器官、ペットの顔のような動物の顔、例えば犬および／または猫の顔、動物の身体、動物の器官等の存在と定義される。任意選択的に、成人の存在より若年小児の存在が好ましい。
【００６８】
本発明の１つの例示的実施形態では、レンチキュラビューイング尺度は、人の顔および／またはペットの顔のような既知の特徴を持つ被写体の存在として定義される内容尺度を含む。そのような例示的実施形態では、各画像に対し、参照によって本書に組み込まれる例えば２００２年７月２２日出願の米国特許第７０２０３３７号に記載されるように、顔検出プロセスが実現される。任意選択的に、各画像には顔存在タグ、例えば２進値が付加される。任意選択的に、図１および３に記載した方法は、顔および身体のような既知の特徴を持つ被写体の存在を検出するために使用される検出モジュールが訓練される予備的プロセスを含む。そのような実施形態では、顔検出モジュールは、ラベル付けされた顔画像および任意選択的にラベル付けされた非顔画像の訓練セットを備え、参照によって本書に組み込まれる例えばＥ．Ｏｓｕｎａ、Ｒ．Ｆｒｅｕｎｄ、およびＦ．Ｇｉｒｏｓｉ、「Ｔｒａｉｎｉｎｇ  ｓｕｐｐｏｒｔ  ｖｅｃｔｏｒ  ｍａｃｈｉｎｅｓ：Ａｎ  ａｐｐｌｉｃａｔｉｏｎ  ｔｏ  ｆａｃｅ  ｄｅｔｅｃｔｉｏｎ」、ＣＶＰＲ、１９９７；Ｈ．Ｒｏｗｌｅｙ、Ｓ．Ｂａｌｕｊａ、およびＴ．Ｋａｎａｄｅ、「Ｎｅｕｒａｌ  ｎｅｔｗｏｒｋ−ｂａｓｅｄ  ｆａｃｅ  ｄｅｔｅｃｔｉｏｎ」、ＰＡＭＩ、２０：２３−３８、１９９８；Ｈ．ＳｃｈｎｅｉｄｅｒｍａｎおよびＴ．Ｋａｎａｄｅ、「Ａ  ｓｔａｔｉｓｔｉｃａｌ  ｍｅｔｈｏｄ  ｆｏｒ  ３ｄ  ｏｂｊｅｃｔ  ｄｅｔｅｃｔｉｏｎ  ａｐｐｌｉｅｄ  ｔｏ  ｆａｃｅ  ａｎｄ  ｃａｒｓ」、ＣＶＰＲ、２０００；ならびにＫ．Ｋ．ＳｕｎｇおよびＴ．Ｐｏｇｇｉｏ、「Ｅｘａｍｐｌｅ−Ｂａｓｅｄ  Ｌｅａｒｎｉｎｇ  ｆｏｒ  Ｖｉｅｗ−Ｂａｓｅｄ  Ｈｕｍａｎ  Ｆａｃｅ  Ｄｅｔｅｃｔｉｏｎ」、ＰＡＭＩ、ｐｐ．３９−５１、１９９８に記載されるように、それらをいかに区別するかを自動的に学習する。
【００６９】
本発明の一部の実施形態では、任意選択的に、１５３に示す通り、１つ以上のレンチキュラビューイング尺度は、シーケンスの画像に示されるダイナミックスに関係するダイナミックス尺度を含む。そのような実施形態では、画像における動く被写体および／または変化する被写体の存在は、レンチキュラビューイング尺度として設定することができる。任意選択的に、レンチキュラビューイング尺度は、循環的動きおよび／または変化に対してプリファレンスを定義する。
【００７０】
本発明の１つの例示的実施形態では、レンチキュラビューイング尺度は、動き閾値または動き範囲を定義するダイナミックス尺度を含む。静止または略静止セグメントはレンチキュラ画像がエミュレートする動きを示さないのでレンチキュラ印刷には好ましくないが、特定レベルを超える動きベクトルを有する被写体を示す画像は、ぶれることがあり得る。任意選択的に、各セグメントおよび／または画像は、それが示している動きレベルに応じて加重される。例えば、好適な動き範囲、あまり好適でない動き範囲、および望ましくない動き範囲のような多数の動き範囲が定義され、各々の範囲を持つセグメントに示された動きレベルのコンプライアンスは、異なる重みで加重される。任意選択的に、画像における動きのレベルは、利用可能な場合、後続の画像に対して計算される局所的動きである。
【００７１】
任意選択的に、局所的動きは、オプチカルフローアルゴリズム、例えばその内容全体を参照によって本明細書に組み込まれるＡ．Ｂｒｕｈｎら（Ａ．Ｂｒｕｈｎら、「Ｒｅａｌ−Ｔｉｍｅ  Ｏｐｔｉｃ−ｆｌｏｗ  Ｃｏｍｐｕｔａｔｉｏｎ  ｗｉｔｈ  Ｖａｒｉａｔｉｏｎａｌ  Ｍｅｔｈｏｄｓ．」Ｎ．Ｐｅｔｋｏｖ，Ｍ．Ａ．Ｗｅｓｔｅｎｂｅｒｇ（編）：Ｃｏｍｐｕｔｅｒ  Ａｎａｌｙｓｉｓ  ｏｆ  Ｉｍａｇｅｓ  ａｎｄ  Ｐａｔｔｅｒｎｓ．Ｌｅｃｔｕｒｅ  Ｎｏｔｅｓ  ｉｎ  Ｃｏｍｐｕｔｅｒ  Ｓｃｉｅｎｃｅ，Ｖｏｌ．２７５６，Ｓｐｒｉｎｇｅｒ，Ｂｅｒｌｉｎ，２２２−２２９，２００３およびＡ．Ｂｒｕｈｎら「Ｃｏｍｂｉｎｉｎｇ  ｔｈｅ  ａｄｖａｎｔａｇｅｓ  ｏｆ  Ｌｏｃａｌ  ａｎｄ  Ｇｌｏｂａｌ  Ｏｐｔｉｃ−ｆｌｏｗ  Ｍｅｔｈｏｄｓ」Ｌ．Ｖａｎ  Ｇｏｏｌ（編）Ｐａｔｔｅｒｎ  Ｒｅｃｏｇｎｉｔｉｏｎ，Ｌｅｃｔｕｒｅ  Ｎｏｔｅｓ  ｉｎ  Ｃｏｍｐｕｔｅｒ  Ｓｃｉｅｎｃｅ，Ｖｏｌ．２４４９，Ｓｐｒｉｎｇｅｒ，Ｂｅｒｌｉｎ、および米国特許第５６８０４８７号（１９９４年５月２日出願）によって発表されたオプチカルフローアルゴリズムのような、局所的動き識別プロセスで検出される。そのような実施形態では、任意選択的に所定の特徴を持つ被写体の動きに基づいて検査画像に対して算出されていたオプチカルフローは、画像の位置合わせを考慮して算出される。
【００７２】
任意選択的に、局所的動きは、所定の特徴を持つ動く被写体および／または変化する被写体の動きに基づく。任意選択的に、動く被写体および／または変化する被写体は既知の特徴を有する。例えば、レンチキュラビューイング尺度は、画像内で変化する人の顔、画像内で移動する人の身体、画像内で変化する動物の顔、画像内で移動する動物の身体、および画像内で動く器官とすることができる。
【００７３】
１５６に示す通り、検査されたシーケンスが、選択されたレンチキュラビューイング尺度の１つ以上に適合する場合、それは、レンチキュラビューイング尺度に適合するセグメントを含むサブセットに追加される。任意選択的に、各々のセグメントは、１つ以上のレンチキュラビューイング尺度に対するそのコンプライアンスのレベルに応じて加重される。１５７に示す通り、任意選択的に、シーケンスの全てのセグメントが検査される。任意選択的に、各セグメントはその加重に応じてランク付けされる。ランク付けはそのコンプライアンスレベルを反映する。
【００７４】
本発明の一部の実施形態では、任意選択的に、１５４に示す通り、レンチキュラビューイング尺度は、シーケンスの検査された画像の品質に関連する１つ以上の品質尺度を含む。そのような実施形態では、レンチキュラビューイング尺度は、ぼけレベル、画像鮮鋭度レベル、および画像輝度レベルのような１つ以上の所定の品質特性の閾値を定義することができる。任意選択的に、レンチキュラビューイング尺度は、検査された画像がゴーストまたは所定レベルを超えるゴーストを示さないことを立証する所定の動きレベルを定義する。
【００７５】
レンチキュラビューイング尺度１５３、１５４、および／または１５５に対するシーケンスのセグメントのコンプライアンスが検査された後、サブセットはセグメントのリストを含み、終了する。リスト内の各セグメントは任意選択的に、レンチキュラビューイング尺度に対するそのコンプライアンスに応じて加重される。そのような方法で、シーケンスの他のセグメントよりもレンチキュラビューイング尺度によく適合するセグメントを識別することができる。任意選択的に、レンチキュラビューイング尺度に適合する１つ以上のセグメントを識別するために、一組のセグメントが繰返し検査される。
【００７６】
上述の通り、適合セグメントの１つ以上が、例えば５７に示すようなインタレーシングモジュールに転送され、それはシーケンスの画像をインタレースしてインタレース画像を生成する。任意選択的に、使用者は、１つ以上のどのセグメントを印刷のためにインタレーシングモジュールに転送するかを選択する。任意選択的に、所定数、例えば７、８、９、または１０個の画像が各セグメントから選択される。任意選択的に、所定数の画像が選択された画像間を分離する。任意選択的に５、１０、１５、２０、および２５個の画像が選択された画像間を分離する。任意選択的に、画像はインタレーシングモジュールに転送される前に位置合わせされる。任意選択的に、例えば１９９８年８月３１日出願の米国特許第６３９６９６１号または１９９８年５月２９日出願の米国特許第６０７８７０１号に記載するように、より精密な大域的位置合わせプロセスが、選択された各セグメントの画像に適用される。これら米国特許を参照によって本書に組み込まれる。位置合わせは任意選択的に、例えば下述するように印刷品質に基づいて行われる。
【００７７】
任意選択的に、シーケンスの画像数は任意である。任意選択的に、インタレーシングモジュール５７は、画像選択サブプロセスに従ってインタレースするための画像を選択する。明確にするために、Ｌはシリーズ画像Ｉ１，．．．，ＩＬを含むセグメント内の画像の数を表わし、ｄはインタレース画像を印刷するために使用されるプリンタの解像度を１インチ当たりのドット数（ＤＰＩ）単位で表わし、ｐはインタレース画像に付着させられるレンチキュラレンズのピッチを１インチ当たりのレンズ数（ＬＰＩ）単位で表わし、Ｋは天井関数（ｄ／ｐ）、丸め関数（ｄ／ｐ）、床関数（ｄ／ｐ）、またはそれらの任意の組合せの結果を表わす。
【００７８】
任意選択的に、画像のシーケンスを線形的にサンプリングすることによって、一組Ｋ個の画像が選択される。任意選択的に一組Ｋ個超の画像、好ましくは少なくとも２＊Ｋ個のフレームが選択される。少なくともＫ個の画像のインタレーシングを可能にするために、画像は第２解像度にインタレースされて画像Ｉを作成する。任意選択的に、第２解像度は次のように定義される：ｃ＝Ｌ＊ｐ。
【００７９】
次いで、画像Ｉを例えばｄ／ｃの率で双線形補間法を用いて再サンプリングし、解像度がｄの画像を作成する。この手法は補間誤差を低減するので、インタレース画像のぼけが低減される。明確にするために、ここで、上述したように生成されたインタレース画像を用いて生成されたレンチキュラ画像の断面図である図４を参照しながら説明する。
【００８０】
図４は、レンチキュラレンズ６０の例示的配列および任意選択的にレンチキュラレンズ６０の裏側に印刷される物理画素６１の配列の断面を示す。任意選択的に、レンチキュラレンズ６０のピッチは印刷解像度を分割しない。その結果、比率ｄ／ｐに等しい各レンズの下の物理画素の数は整数でない。
【００８１】
任意選択的に、特定のレンズの下に印刷されまたは位置する各画素群の最初の画素は、１つ以上の画像の補間である。例えば図４に示すように、例えばセグメント内の画像の数が４であり、ｄ／ｐが３．５である場合、インタレーシングプロセスは、第１画像から画素Ｃ１を、第２画像から画素Ｃ２を、第３画像から画素Ｃ３を取る。２つのレンチキュラレンズの縁の下に位置する画素Ｃ４は、画像１および２間の画像に関連付けられるか、あるいは画素のそれぞれの断片分だけシフトする。任意選択的に、Ｃ４は、例えば双線形補間法または最近傍補間法を用いて、画像１と画像２との間の補間によって得られる。そのような補間は、使用する補間法によっては、ぼけおよび／または他のアーチファクトを引き起こす。本発明の一実施形態では、アーチファクトは、ｄ／ｐより多数の画像を用いることによって低減される。例えば図４では、２ｄ／ｐ＝７個の画像で充分である。この例では、画素Ｃ１は画像２から取り出され、画素Ｃ２は画像４から取り出され、画素Ｃ３は画像６から取り出され、画素Ｃ４は画像３から取り出され、以下同様である。任意選択的に、画像の最大数は１０ｄ／ｌである。
【００８２】
任意選択的に、この画像選択サブプロセスは、その計算の複雑性を低減するように最適化される。例えば垂直レンズ方向により、解像度ｃへのインタレーシングおよび解像度ｄへの再サンプリングが、各画像列に別々に実行される。そのような仕方で、画像を解像度ｃで格納する必要性が回避される。
【００８３】
2010517130.tif 000003
【００８４】
任意選択的に、最高品質は画像勾配ノルムの最大総和によって測定される。総和は次のように定義される。
2010517130.tif 000004
【００８５】
ここで図５を参照すると、それは、本発明の一部の実施形態に係る、レンチキュラ印刷用のシーケンスのセグメントを選択するための例示的プロセスのフローチャートである。ブロック１００、１５０、１５３、および１５５は図３に示す通りであるが、任意選択的にシーケンスの他のセグメントよりよくレンチキュラビューイング尺度に適合するセグメントを識別するプロセスは、異なる順序で実行される。
【００８６】
上述しかつ１００および１５０に示す通り、シーケンスを受け取り、位置合わせした後、シーケンスの画像が検査される。１５５に示しかつ上述した通り、内容尺度に対するシーケンスの画像の各々のコンプライアンスが検査される。任意選択的に、人の顔のような既知の特徴を持つ被写体を示さない各画像は、無関係画像とタグ付けされる。各画像は、それぞれの画像が内容尺度に適合するか否かを示すバイナリタグに関連付けられる。明確にするために、バイナリタグはＦｓと定義される。ここでｓはタグに関連付けられる画像のシーケンシャルインデックスを表わす。
【００８７】
１５３に示しかつ上述した通り、ダイナミックス尺度に対するシーケンスの画像の各々のコンプライアンスが検査される。任意選択的に、任意選択的に上述の通りに算出される画像のオプチカルフローは、画像に関連付けられる。明確にするために、画像インデックスｓのオプチカルフローは、次のように定義される：Ｍｓ（ｘ，ｙ）＝（ｕ（ｘ，ｙ），ｖ（ｘ，ｙ））。
【００８８】
任意選択的に、そのようなオプチカルフローは、大域的動き位置合わせプロセスによってすでに位置合わせされかつ歪められた画像に対して算出される。
【００８９】
ここで、３０１に示す通り、空のサブセットＣが初期化される。Ｃは一組のセグメントを表わし、各セグメントは最初の画像および最後の画像によって画定される。任意選択的に、Ｃ⊂Ｒ×Ｒであり、ここでＲは提供されたシーケンス内の画像数を表わす。Ｃは、１５３および１５５の結果に応じて、任意選択的に次のループに従って、初期化される。
2010517130.tif 000005
ここで（ａ，ｂ）はＣのメンバを表わす。ａはセグメントの最初の画像を表わし、ｂはセグメントの最後の画像を表わし、Ｉｘは画像シーケンス内の位置Ｘにある画像を表わし、Ｍｍｉｎは最小所要動きを表わし、Ｉａ，．．．，ＩｂはＩａとＩｂとの間にある全ての画像を表わし、Ｔ１およびＴ２は検査された画像の間にある画像数を決定するために定義されるパラメータを表わす。任意選択的に、Ｔ１およびＴ２は、０．５秒間および３秒間にそれぞれ読み込まれた画像数と設定される。任意選択的に、Ｍｍｉｎは事前に、シーケンスのソース、任意選択的にシーケンスを読み込むために使用されるカメラの種類および／または特性に合わせて調整される。
【００９０】
所定の特徴を持つ１つ以上の被写体における動きを表わすセグメントは、Ｃのメンバとしてタグ付けされる。静止セグメントおよび／または所定の特徴を持つ被写体を示さないセグメントは、Ｃのメンバとしてタグ付けされない。
【００９１】
ここで、３０２に示す通り、Ｃのセグメントの各々の品質が評価される。任意選択的に、最終インタレース画像の鮮鋭度、コントラスト、および動きぼけに基づく費用関数が、セグメントの各々に適用される。Ｃのメンバに対して以下の費用関数を適用することにより、通常、シーケンスの可能なセグメントの全てに費用関数を適用する場合より、計算の複雑性が低減されることに注目されたい。Ｃの初期化は、レンチキュラ印刷用に調整されない画像を低減する。
【００９２】
Ｃの各メンバに対し、最終印刷画像の品質を測定する次の式が次の通り計算される。
2010517130.tif 000006
ここでαは任意選択的に使用者によって調整される加重値を表わし、ＱｓはＱ０，．．．，ＱＫの間のソフトプルーフビューを表わす。本書で使用する場合、ソフトプルーフビューとは、レンチキュラ印刷のぼけ効果を含む印刷画像のシミュレーションを意味する。ソフトプルーフを生成する演算処理の説明を以下に提示する。方程式の左辺は、シミュレートされた印刷画像の鮮鋭度レベルに応じて決定され、方程式の右辺は、シミュレートされた印刷画像に示された動きに応じて決定される。任意選択的に、αは、動きぼけレベルに関して鮮鋭度品質より大きい荷重を与えるか否かを決定するように、予備的プロセス中に調整される。
【００９３】
任意選択的に、Ｑ０，．．．，ＱＫは、
ａ）当業界で公知であってレンチキュラレンズのピッチおよびレンチキュラレンズのレンチキュールの個数に基づくインタレーシングプロセスにより、ＩａとＩｂとの間で画像をインタレースして動画像のためのインタレース画像を作成し、かつ
ｂ）任意選択的に下述するように作成されるソフトプルーフフィルタによりインタレース画像を畳み込み、次いでＱ１＝ＱＫとなるように任意選択的にレンチキュラレンズの視野全体に線形的に広がるソフトプルーフビューを抽出する、
ことによって抽出される一方、シミュレートされたぼけのある画面は任意選択的に、ぼやけたインタレース画像をデインタレースすることによって算出される。簡単に述べると、各画面は、ぼやけたインタレース画像から関連カラムを収集かつ／または補間することによって抽出される。レンズに対するインタレース画像の関連付けを前提として、インタレース画像のカラムに対する視点の関連付けは単純明快であり、したがって、本書ではこれ以上説明しない。そのような関連付けはまた、インタレーシングプロセスでも使用することができる。ぼけは、線形シフト不変ぼかしフィルタの畳み込みにより概算することができることに注目されたい。
【００９４】
上述の通り、任意選択的に、選択されたセグメントの少なくとも１つがインタレーシングモジュールに転送され、該モジュールはそれに応じてインタレース画像を生成する。次いでインタレース画像は印刷され、特定のレンチキュラレンズに付着させられる。ソフトプルーフフィルタの畳み込みは、プリンタによって、インタレース画像のラミネーションの品質によって、かつ／またはインタレース画像に付着させられようとしているレンチキュラレンズによって生じるそのインタレース画像のぼけをエミュレートする。簡単に述べると、畳み込みは、セグメントのメンバから生じる見込みレンチキュラ画像に示されるぼけの推定に応じて画像をぼけさせる。
【００９５】
ソフトプルーフフィルタは任意選択的に、例えば図６に示される較正パターンを用いて生成される。任意選択的に、較正パターンは、最終インタレース画像を印刷するために使用される印刷システムと実質的に同様の印刷システムにより印刷される。較正パターンは、出力されたサブセットに基づくインタレース画像が付着させられるレンチキュラレンズと同様または実質的に同様のレンチキュラレンズの裏面に配置される。例えば１８１に示す較正パターンの各白色矩形部は、テンプレートに置換される。人間の使用者または強度測定装置であるキャリブレータは、レンチキュラレンズを通してテンプレートを見て、各列で、関連周囲フレームからテンプレートを区別できないカラムを識別することを要求される。図７は、本発明の一部の実施形態に係る例示的テンプレートの略図を示す。任意選択的に、較正パターンは、レンチキュラレンズの裏面に直接、またはレンチキュラレンズの裏面に近接して配置された媒体に、任意選択的に最終インタレース画像が印刷されるのと同様の仕方で印刷される。次いで一組の測定値が視覚的にかつ／または光学的に評価される。この測定はソフトプルーフフィルタの作成を可能にする。ソフトプルーフフィルタは測定値、およびパターンの印刷に使用されるプリンタの解像度、レンチキュラレンズのピッチ等のような追加情報に基づく。
【００９６】
任意選択的に、較正パターンはシミュレートする必要のある印刷効果に依存する。例えば図６および７は、ビュー内およびビュー間ぼけ効果をシミュレートする。測定プロセスは、各々がテストに関連付けられる一組の測定から構成される。図６は、６回のテストまたは６回の測定の例を示す。各テストに対し、１８０に示すように、異なる強度の境界内に異なるパターンが印刷される。ひとたびパターンがレンチキュラシートの背後に配置されると、使用者は、各テストまたは各列に対し、レンチキュラレンズの作用により、内部の矩形が周囲境界線と同一の見かけの強度を有するようになるカラムを識別する。そのようなカラムが幾つか存在する場合、キャリブレータはカラムの１つを、例えば中央のカラムを選ぶか、あるいは全てのカラムを出力として提供することができる。このカラムは、あたかも使用者が強度を測定したかのように、テストのレンチキュラ強度の推定品質を表わす。
【００９７】
較正パターンの見かけは使用者または自動パターン認識装置の観察位置に依存することに注目されたい。任意選択的に、キャリブレータは、全ての繰返しで測定を実行することになっている位置の指標を受け取る。そうすると較正パターンは、使用者がこの位置を突き止めることを助けるテンプレートを含むことができる。中心ビューを突き止めるためにそのようなテンプレートを用いることは、当業界で公知のレンチキュラ印刷の標準的な技術であり、したがって本書ではこれ以上説明しない。
【００９８】
任意選択的に、較正パターンは、キャリブレータがその位置を識別するのを助けるテンプレートを含む。そのような実施形態では、キャリブレータは測定値と共に位置識別を提供する。そのような位置識別は、例えばインタレースされた幾つかのビューを印刷し、使用者にどのビューを見ているかを識別するように要求することによって、実行することができる。
【００９９】
ソフトプルーフフィルタの畳み込みにより、あたかもレンチキュラレンズを介してそれを見ているかのように、関連インタレース画像の視覚化が生じる。明確にするために、視覚化は種々の形を取ることができることに注目されたい。任意選択的に、ビューは、ビューをアニメーション化することによって提示することができ、そこで各ビューはレンチキュラ印刷および／またはレンズの効果を含むように調整される。例えば２０００年２月１日出願の米国特許第６３８９２３６号に記載するように、任意選択的にビューは、レンチキュラレンズのシミュレートされた効果を含むアナグリフ画像に提示することができる。任意選択的にビューは、ビューのプリントアウトとして、またはレンチキュラレンズのシミュレートされた効果を含むアナグリフとして提示することができる。
【０１００】
ここで再び図５を参照する。上述の通り、レンチキュラビューイング尺度に適合するセグメントの識別は、顔および身体のような既知の特徴を持つ被写体の存在を検出するために使用される検出モジュールが訓練される、予備的プロセスを含むことができる。任意選択的に、過去に選択されかつ／またはサンプル画像シーケンスセグメントとして追加された一組の画像シーケンスセグメントを格納するデータベースが使用される。
【０１０１】
そのような実施形態では、各セグメントの品質が次の方程式を用いて評価される。
2010517130.tif 000007
ここでＥｑｕａｌｉｔｙは方程式３として定義され、λはデータベースおよび／または他のソースからの少数のセグメントに従って設定される。設定は手動でかつ／または自動的に実行することができる。任意選択的に、設定が手動で行われる場合、一組のシーケンスが選択され、そのうちの幾つかはデータベース内のセグメントと同様のセグメントを含む。そのような仕方で、使用者は印刷用の１つ以上のセグメントを選択することができる。次いでセグメント検出アルゴリズムが、λの様々な値について全てのシーケンスに対して実行される。使用者は、λの値の各々について結果を提示される。使用者は最良の結果を出すλの値を選択する。任意選択的に、設定が自動的に行われる場合、λは、方程式４の両項に所与の一組のセグメントで同一分散を持たせる値を設定することができる。
【０１０２】
Ｈ（ａ，ｂ）は、参照によって本書に組み込まれる例えばＥ．ＳｈｅｃｈｔｍａｎおよびＭ．Ｉｒａｎｉ、「Ｍａｔｃｈｉｎｇ  Ｌｏｃａｌ  Ｓｅｌｆ−Ｓｉｍｉｌａｒｉｔｉｅｓ  ａｃｒｏｓｓ  Ｉｍａｇｅｓ  ａｎｄ  Ｖｉｄｅｏｓ」、２００７年６月のＩＥＥＥ  Ｃｏｎｆｅｒｅｎｃｅ  ｏｎ  Ｃｏｍｐｕｔｅｒ  Ｖｉｓｉｏｎ  ａｎｄ  Ｐａｔｔｅｒｎ  Ｒｅｃｏｇｎｉｔｉｏｎ（ＣＶＰＲ）に記載する通り、それぞれの画像に基づく時空ビデオ記述子として定義され、空間および時間の両方における局所アフィン変形を説明し、したがって動作の速度の小さい差にも対応する。
【０１０３】
ここで、３０３に示す通り、最高Ｅｑｕａｌｉｔｙを有するセグメントの１つ以上が選択されて出力される３０４。任意選択的に、これらのセグメントはインタレーシングモジュールに転送され、該モジュールは当業界で周知の通り、任意選択的にレンチキュラ印刷用のインタレース画像を作成する。
【０１０４】
上述の通り、印刷用に選択されるセグメントは、方程式３でＱ画像を算出する必要がある。任意選択的に、計算の複雑性を低減するために、Ｌ個のうちのＫ個は上述の通り、線形的にサンプリングされる。任意選択的に、インタレース画像印刷および任意選択的に下述の通り提示される印刷のデジタルプレビューが使用される。画像は任意選択的に、次の１つ以上に従って選択される。
１．図３に関連して上述した通り、一組Ｋ個の画像が任意選択的に線形的に選択される。
２．一組Ｋ−２個の画像は線形的に選択され、最初および最後の画像は、インタレースのためのＫ個の画像を得るために複製される。そのような実施形態では、最初の画像と最後の画像との間のぼけは、印刷画像では低減される。
３．図３に関連して上述した通り、任意選択的にインタレース用のＬ個の画像を得るためにシーケンス内の全画像が使用される。
４．シーケンス内の全画像が使用される一方、Ｌ＋２＊（およそ（Ｌ／Ｋ）−１）個の画像をインタレース用に得るために、最初と最後の画像が任意選択的におよそ（Ｌ／Ｋ）回複製される。
５．任意選択的に、上述の通り最高品質を持つＫ個のフレームが選択される。
６．最高品質を持つＫ−２個のフレーム、および最初と最後の画像の複製により、インタレース用のＫ個の画像を得る。
７．最高品質を持つＫ／２個のフレームおよび複製された各画像により、インタレース用のＫ個の画像を得る。
【０１０５】
任意選択的に、上記選択肢の１つ以上の費用が評価され、最適費用をもたらす選択肢が選択される。
【０１０６】
周知の通り、レンチキュラ印刷は、２つ以上の画像とレンチキュラレンズとを結合するレンチキュラ画像を生じ得る。レンチキュラレンズは、わずかに異なる角度から見たときに、異なる画像が拡大されるように設計される。レンチキュラレンズの多くは、インタレース画像に特定のぼけを誘発する。このぼけは、結合された画像間の相対的動き、プリンタ解像度のような画像の印刷の特定パラメータ、レンズピッチ、および／またはレンズの光学収差に依存する。
【０１０７】
本書で使用する場合、光学収差とは単色収差、色収差、またはそれらの任意の組合せを意味し、単色収差とは、ピストン収差、チルト収差、焦点ぼけ収差、球面収差、コマ収差、非点収差、像面湾曲収差、および画像歪曲収差のような、散乱無く生じる収差を意味し、色収差とは、レンズが種々の波長の光を散乱させる場合に生じる、軸上または縦色収差およびラテラルまたは横色収差のような収差を意味する。
【０１０８】
ここで図８を参照すると、それは、本発明の一部の実施形態に係る、レンチキュラ画像用のインタレース画像を生成するための方法のフローチャートである。ブロック１００〜１０２は図２に記載する通りである。しかし、図８はさらに、１０２で識別された適合セグメントを処理して、レンチキュラレンズと結合することのできるインタレース画像を生じるように設計されたブロック２０１〜２０３を示す。インタレース画像およびレンチキュラレンズの結合により、任意選択的に上述の通り、動画像が生成される。
【０１０９】
本発明の一実施形態では、１０２に示すようにレンチキュラビューイング尺度に適合するセグメントが選択された後、２０１に示す通り、その画像が位置合わせされる。位置合わせは、レンチキュラレンズによって誘発されるぼけを低減し、かつ任意選択的に、サブセットの画像を結合する動画像によって作成されるアニメーションの連続性を高めるように設計される。
【０１１０】
ここで図９を参照すると、それは、本発明の一部の実施形態に係る、上述したセグメントの画像のような一連の画像を位置合わせするための方法のフローチャートである。
【０１１１】
周知の通り、画像をインタレースする前にそれらを位置合わせすることにより、インタレース画像のぼけが軽減される。通常、画像の位置合わせは手動で行なわれ、したがってシフトおよび回転のような単純な変換に制限される。図９に記載する方法は、インタレース画像のぼけを軽減するのに不可欠な正確な位置合わせの識別を可能にする。正確な位置合わせは、自動的に実行される、アフィンおよび射影変換のような複雑な非剛体変換に基づく。
【０１１２】
図９に示す通り、位置合わせはステージの数に基づく。最初に、１７１に示す通り、初期変換推定が各画像に対して算出される。明確にするために、Ｎはセグメント内の画像の数を表わし、Ｉ１（ｘ，ｙ），．．．，ＩＮ（ｘ，ｙ）はセグメント内の画像を表わし、Ｉはインタレース画像を表わし、Ｔ１，．．．，ＴＮは一組の変換を表わし、ここで各ＴｘはそれぞれのＩｘを位置合わせするように設計され、Ｇは一組Ｎ個の画像Ｆ１，．．．，ＦＮのインタレース画像Ｉへの線形マッピングを表わし、Ｉ＝Ｇ（Ｆ１，．．．，ＦＮ）であり、ＩＫは恒等変換を有する基準フレームを表わし、画像のいずれか１つとすることができる。任意選択的に、シーケンスおよびＴ０１，．．．，Ｔ０Ｎの真ん中のフレームは一組の変換を表わし、そこで各Ｔ０ｘはそれぞれのＩｘに対する初期変換推定である。任意選択的に、初期変換推定は、参照によって本書に組み込まれる例えば１９９８年８月３１日出願の米国特許第６３９６９６１号または１９９８年５月２９日出願の米国特許第６０７８７０１号に記載された、標準画像位置合わせアルゴリズムに従って計算される。
【０１１３】
本発明の位置合わせアルゴリズムのための費用関数に従って、１７２に示す通り、インタレース画像Ｉを得るためにＧを用いて、一組のインタレース位置合わせ画像が生成される。１７２に示しかつ下述する通り、レンチキュラレンズおよび／またはインタレース画像のプリンタによって生じるぼけを考慮して、インタレース位置合わせ画像はぼかされる。次いで、ぼけたインタレース画像とぼけ無しのインタレース画像との間の差の２乗の和が算出される。この比較は、ぼけ関数ｆマイナスΔ関数によるインタレース画像の畳み込みとして数学的に公式化される。
【０１１４】
例えば、次いで次の関数は次の通り最小化される。
2010517130.tif 000008
ここでＴＫは恒等変換を表わし、δはΔ関数を表わし、ｆはレンチキュラレンズおよび／または画像の印刷によって生じるぼけをシミュレートするフィルタ、任意選択的に上述したソフトプルーフフィルタである。任意選択的に、ｆ＝［１／４  １／２  １／４］であり、δは、参照によって本書に組み込まれる例えば米国特許第５４３４４１６号に記載するように、それぞれの単位元を畳み込むことによって適用される。
【０１１５】
任意選択的に、ｆは、Ｉに取り付けられようとしているレンチキュラレンズによって、かつ／またはＩ１，．．．，ＩＮの印刷プロセスによって生じるぼけを任意選択的に目視で測定することによって推算される。ソフトプルーフを目的とするそのような測定プロセスの例については図５に関連して上述し、かつ参照によって本書に組み込まれる２００７年１月９日出願の米国特許仮出願第６０／８９１５１２号に記載されている。
【０１１６】
方程式５の最小化は繰返し実行される。初期変換推定は、最初の繰返しのための初期推定として使用される。任意選択的に、方程式５は、推定パラメータの値が前回の繰返しにおけるパラメータと実質的に類似している限り、反復的に繰り返される。任意選択的に、類似性は任意の閾値のような閾値に従って決定される。例えば閾値は、全ての画像で画像の４隅に全ての変換を適用したときに、連続反復間に１画素未満の差が存在するか否かを検証する停止基準として定義される。
【０１１７】
例えば、ｐ１、ｐ２、ｐ３、ｐ４を画像の４隅とすると、ｐ１＝（０，０）およびｐ４＝（ｗ，ｈ）となる。ここでｗ、ｈはそれぞれ画像幅および画像高さである。そのような実施形態では、繰返しｊ時の閾値の停止基準は次のように定義される。
2010517130.tif 000009
ここで座標画像は画素を計数することによって測定される。
【０１１８】
繰返しｊ時のＴＪ１，．．．，ＴＪＮの推定は、繰返しｊ−１時のＴＪ−１１，．．．，ＴＪ−１Ｎの推定を前提として、残留変換のパラメータに関して一組の方程式を解き、次いで残留変換を前回の繰返しの推定に連結して今回の繰返しの推定を得ることによって算出される。任意選択的に、連結は、次の通りアフィン変換のための一組の方程式に従って実行される。
【０１１９】
最初に、Ｉ１（ｘ，ｙ），．．．，ＩＮ（ｘ，ｙ）と呼ばれる画像が、Ｗ１（ｘ，ｙ），．．．，ＷＮ（ｘ，ｙ）を得るためにＴＪ−１１，．．．，ＴＪ−１Ｎに従って歪められる。明確にするために、歪められた画像の空間導関数が次のように定義される。
2010517130.tif 000010
位置合わせアルゴリズムで画像の空間導関数を使用することは当業界で公知であることに注目されたい。そのような使用の例は、１９９８年１２月１７日出願の米国特許第６２５２９７５号、１９９９年１０月１日出願の米国特許第６４５６７３１号、および２００３年１月１４日出願の米国特許第６５０７６６１号、ならびにＥｅｒｏ  Ｐ．Ｓｉｍｏｎｃｅｌｌｉ、「Ｄｅｓｉｇｎ  ｏｆ  Ｍｕｌｔｉ−Ｄｉｍｅｎｓｉｏｎａｌ  Ｄｅｒｉｖａｔｉｖｅ  Ｆｉｌｔｅｒｓ」、Ｉｎｔｅｒｎａｔｉｏｎａｌ  Ｃｏｎｆｅｒｅｎｃｅ  ｏｎ  Ｉｍａｇｅ  Ｐｒｏｃｅｓｓｉｎｇ、７９０〜７９４頁（１９９４年）に提供されており、それらを参照によって本書に組み込む。
【０１２０】
ここで、差分変換はＨＳ＝ＴｊＳ・（ＴＳｊ−１）−１と定義される。各アフィン変換ＨＳを、像点（ｘ１，ｙ１）および（ｘ２，ｙ２）に関連する６つのパラメータによって、次のように記載することができるという前提に従って、
2010517130.tif 000011
他のパラメータ変換は、方程式８を適切なパラメータ化形式に置換することによって解くことができることに注目されたい。任意選択的に、次の近似は、各画像ＷＳを対応するアフィン変換ＨＳの下で推定するために使用される。
2010517130.tif 000012
ここでｌは、例えば参照によって本書に組み込まれるＥｅｒｏ  Ｐ．Ｓｉｍｏｎｃｅｌｌｉ、「Ｄｅｓｉｇｎ  ｏｆ  Ｍｕｌｔｉ−Ｄｉｍｅｎｓｉｏｎａｌ  Ｄｅｒｉｖａｔｉｖｅ  Ｆｉｌｔｅｒｓ」、Ｉｎｔｅｒｎａｔｉｏｎａｌ  Ｃｏｎｆｅｒｅｎｃｅ  ｏｎ  Ｉｍａｇｅ  Ｐｒｏｃｅｓｓｉｎｇ、７９０〜７９４頁（１９９４年）に前置フィルタｐｉとして記載された、画像空間導関数の推算における正規化と合致する平滑化フィルタを表わす。
【０１２１】
方程式５、７、８は、変換パラメータに関する一組の一次方程式の適用、および２０２に示す通りインタレース画像の生成を可能にする。方程式８および５に基づき、各画像変換ＨＳは各画素（ｘ，ｙ）に対し、ベクトルＶを次のように定義する。
2010517130.tif 000013
ここで、各変換ＨＳに対し、またはＶＳ（ｘ，ｙ）の各座標に対し、ｑ個の画像ＤＳｊを作成する。
2010517130.tif 000014
ｑ＝８である。次いで、１７２に示す通り、画像はインタレースされて、ｑ個のインタレース画像が作成される。
2010517130.tif 000015
ここで画像ＦｊＳが作成され、ここでインタレース画像Ｅｊのサイズの各々に対し次のループが実行される。
2010517130.tif 000016
分かり易くするために、畳み込みフィルタｆおよびδは水平であり、したがってレンチキュラレンズはインタレース画像に対して垂直であると仮定する。他の向きを使用してもかまわないことに留意されたい。また、インタレーシングプロセスは異なるビューからの画素を同一画素に混合しないので、ｓは独自の仕方でＥｑから設定されると仮定される。
【０１２２】
次いで、変換パラメータに関する方程式の組が次のように構築される。
2010517130.tif 000017
ここで、Ａは矩形行列を表わし、基準フレームのパラメータａＫ１，．．．，ａＫ６を除いてＡを乗算される未知のベクトルを持つ。Ａの各係数は２つのパラメータａＳ１ｊ１およびａＳ２ｊ２に対応する。例えばＡ１７およびＡ７１はどちらもパラメータａ１１およびａ２１に対応し、それらは方程式１４の未知のベクトルの第１および第７座標に位置する。パラメータａＳ１ｊ１およびａＳ２ｊ２の各対に対応するＡの係数は、Ｆｊ１Ｓ１（ｘ，ｙ）Ｆｊ２Ｓ２（ｘ，ｙ）の全ての画素ｘ，ｙの総和となるように設定される。ベクトルｂの各係数は同様に、係数ａＳｊに対応する。ａＳｊに対応するｂの係数は、次式の全ての画素の総和となるように設定される。
2010517130.tif 000018
ここで再び図８を参照する。画像が位置合わせされた後、それらは、算出された位置合わせ変換に従って歪められる。
【０１２３】
歪められた画像は通常、視覚情報が欠如している。例えば、画像を右にシフトさせる画像の歪みは、左側が抜けている画像を作成させる。任意選択的に、そのような欠如は、全てのフレームに存在する領域だけを含むように画像をクロップすることによって処理される。任意選択的に、抜けている視覚情報は、空間外挿によって、かつ／または１つ以上の他のフレームから情報をコピーすることによって完成される。一実施形態では、情報は基準フレームからコピーされる。別の実施形態では、情報は、それぞれの画素に視覚情報を含む全てのフレームからの視覚情報の平均または中央値のような集合体である。
【０１２４】
次いで、２０２に示しかつ上述したように、インタレース画像がそこから作成される。
【０１２５】
次いで、２０３に示す通り、インタレース画像が出力される。インタレース画像をレンチキュラレンズに付着させることによって、３Ｄ透視図および／または上述したサブセットの画像に示された被写体の１つ以上の動きをエミュレートする動画像が作成される。
【０１２６】
ここで、動画像を生成するためのシステムの略図である図１０、および本発明の一部の実施形態に係る、動画像を生成するための方法のフローチャートである図１２を参照しながら説明する。システムは、使用者が６００に示すように１つ以上のシーケンスを選択することを可能にする、１つ以上のクライアント端末４０１を備える。本書で使用する場合、クライアント端末４０１とは、パーソナルコンピュータ、サーバ、ラップトップ、写真屋内のキオスク、パーソナルデジタルアシスタント（ＰＤＡ）、またはネットワーク接続性を持つ任意の他のコンピューティングユニットを意味する。選択されたシーケンスは、セグメント識別モジュール４０２に提供される。セグメント識別モジュール４０２は、クライアント端末に、またはインターネットのようなネットワーク４０７を介してそれに接続されるリモートネットワークノード４０３にホスティングすることができる。セグメント識別モジュール４０２は、６０１および６０２に示すように、１つ以上の好適なセグメントを識別し、それらを使用者４０８に提示する。任意選択的に、識別されたセグメントは、例えば使用者４０８が幾つかの識別されたセグメントの中から選択することを可能にする、本発明の一部の実施形態に係るユーザインタフェースの略図である図１１に示すように、クライアント端末のディスプレイ上で使用者４０８に提示される。本発明の一実施形態では、セグメント識別モジュール４０２は中央サーバ４０３にホスティングされ、使用者４０８は、指定されたウェブサイトにアクセスすることによってそれらとの接続を確立する。そのような実施形態では、使用者４０８は、任意選択的に図１および３に記載するように、ビデオセグメントをアップロードし、ビデオセグメントをホスティングする記憶装置４０４にセグメント識別モジュール４０２を差し向け、かつ／または１つ以上のレンチキュラビューイング尺度に適合する１つ以上のセグメントの識別を可能にするモジュールをインストールすることができる。
【０１２７】
任意選択的に、使用者はシーケンスを調整するために、クライアント端末４０１を使用し得る。任意選択的に、使用者はシーケンスの境界を定めるために、クライアント端末４０１を使用する。任意選択的に使用者は、識別モジュール４０２によって検査されるシーケンスの中心を定めるアンカフレーム、シーケンスの境界線、および／またはフレーム数もしくはシーケンスの長さを、任意選択的に上述の通り選択する。
【０１２８】
任意選択的に使用者４０８は、セグメントを識別するために使用されるレンチキュラビューイング尺度を調整する。上述の通り、セグメントはダイナミックス、内容、および／または品質尺度によって実行することができる。任意選択的にユーザインタフェースは、セグメントを識別するためにどのレンチキュラビューイング尺度を使用するか、かつ／またはレンチキュラビューイング尺度の各々の加重が幾らであるかを、使用者４０８が決定することを可能にする。
【０１２９】
ここで、例えば５００に示すように、識別されたセグメントの１つ以上が使用者４０８に提示された後、使用者４０８は、例えば６０３に示すように、識別されたセグメントの１つをレンチキュラ印刷のような動画撮像用に選択することができる。任意選択的に使用者に対し、特定レベルを超えて加重された全てのセグメントが任意選択的に上述したように提示され、かつ／または最高レベルのコンプライアンスに匹敵する所定数のセグメントが任意選択的に上述したように提示される。任意選択的に、セグメントは階層的順序で提示される。階層的順序は任意選択的に、セグメントを識別するために使用された１つ以上のレンチキュラビューイング尺度に対する各セグメントのコンプライアンスに従って決定される。そのような仕方で、使用者は、どのセグメントが最も効率的に１つ以上のレンチキュラビューイング尺度に適合するかを示す指標を受け取る。任意選択的に、提示されたセグメントに従って生成されたレンチキュラ画像のシミュレーションが使用者４０８に提示される。任意選択的に、シミュレーションは、アニメーション化されたソフトプルーフビューを生じる上述したソフトプルーフのようなソフトプルーフに従って生成される。
【０１３０】
６０４に示す通り、選択されたセグメントは、インタレース画像を作成するためにインタレーシングモジュール４０５に送信される。インタレーシングモジュールはクライアント端末に、または例えば４０３に示すようなリモートネットワークノードにホスティングすることができる。任意選択的に、インタレーシングモジュール４０５は、例えば６０５に示す通り、インタレース画像とレンチキュラレンズとの間を結合することによってレンチキュラ画像を印刷するように設計された印刷ユニット４０６に、インタレース画像を転送する。印刷ユニット４０６は、ホストサーバ４０３に直接接続するか、かつ／またはネットワーク４０７を介して接続することができる。
【０１３１】
本発明の一実施形態では、使用者４０８は、上述の通りシーケンスおよび／またはセグメントを選択するために、クライアント端末４０１を使用する。選択されたセグメントに応じてインタレース画像が作成され、印刷ユニット４０６に接続されたサーバに送信される。印刷ユニット４０６は、インタレース画像を含むレンチキュラ画像を印刷する。任意選択的にインタレース画像は、使用者４０８のアドレスまたは任意の他のアドレスにメール送信することができる。
【０１３２】
本出願から成熟する特許の存続期間の期間中には、多くの関連方法およびシステムが開発されることが予想され、シーケンス、画像カメラ、ネットワーク、および通信の用語の範囲は、すべてのそのような新しい技術を生得的に包含することが意図される。
【０１３３】
本明細書中で使用される用語「約」は、±１０％を示す。
【０１３４】
用語「含む／備える（ｃｏｍｐｒｉｓｅｓ、ｃｏｍｐｒｉｓｉｎｇ、ｉｎｃｌｕｄｅｓ、ｉｎｃｌｕｄｉｎｉｎｇ）」、「有する（ｈａｖｉｎｇ）」、およびそれらの同根語は、「含むが、それらに限定されない（ｉｎｃｌｕｄｉｎｇ  ｂｕｔ  ｎｏｔ  ｌｉｍｉｔｅｄ  ｔｏ）」ことを意味する。
【０１３５】
用語「からなる（ｃｏｎｓｉｓｔｉｎｇ  ｏｆ）」は、「含み、かつそれらに限定される（ｉｎｃｌｕｄｉｎｇ  ａｎｄ  ｌｉｍｉｔｅｄ  ｔｏ）」ことを意味する。
【０１３６】
用語「から本質的になる（ｃｏｎｓｉｓｔｉｎｇ  ｅｓｓｅｎｔｉａｌｌｙ  ｏｆ）」は、さらなる成分、工程および／または部分が、特許請求される組成物、方法、または構造の基本的かつ新規な特徴を実質的に変化させない場合にだけ、組成物、方法、または構造がさらなる成分、工程および／または部分を含み得ることを意味する。
【０１３７】
本明細書中で使用される場合、単数形態（「ａ」、「ａｎ」および「ｔｈｅ」）は、文脈がそうでないことを明確に示さない限り、複数の参照物を包含する。例えば、用語「化合物（ａ  ｃｏｍｐｏｕｎｄ）」または用語「少なくとも１つの化合物（ａｔ  ｌｅａｓｔ  ｏｎｅ  ｃｏｍｐｏｕｎｄ）」は、その混合物を含めて、複数の化合物を包含し得る。
【０１３８】
本開示を通して、本発明の様々な実施形態が範囲形式で提示され得る。範囲形式での記載は単に便宜上および簡潔化のためであり、本発明の範囲に対する柔軟性のない限定として解釈すべきでないことを理解しなければならない。従って、範囲の記載は、具体的に開示された可能なすべての部分範囲、ならびに、その範囲に含まれる個々の数値を有すると見なさなければならない。例えば、１〜６などの範囲の記載は、具体的に開示された部分範囲（例えば、１〜３、１〜４、１〜５、２〜４、２〜６、３〜６など）、ならびに、その範囲に含まれる個々の数値（例えば、１、２、３、４、５および６）を有すると見なさなければならない。このことは、範囲の広さにかかわらず、適用される。
【０１３９】
数値範囲が本明細書中で示される場合には常に、示された範囲に含まれる任意の言及された数字（分数または整数）を含むことが意味される。第１の示された数字および第２の示された数字「の範囲である／の間の範囲」という表現、および、第１の示された数字「から」第２の示された数「まで及ぶ／までの範囲」という表現は、交換可能に使用され、第１の示された数字と、第２の示された数字と、その間のすべての分数および整数とを含むことが意味される。
【０１４０】
明確にするため別個の実施形態の文脈で説明されている本発明の特定の特徴は単一の実施形態に組み合わせて提供することもできることは分かるであろう。逆に、簡潔にするため単一の実施形態の文脈で説明されている本発明の各種の特徴は、別個にまたは適切なサブコンビネーションで、または本発明の他の実施形態において好適に提供することもできる。種々の実施形態の文脈において記載される特定の特徴は、その実施形態がそれらの要素なしに動作不能である場合を除いては、それらの実施形態の不可欠な特徴であると見なされるべきではない。
【０１４１】
本発明はその特定の実施形態と共に説明してきたが、多くの別法、変更および変形があることは当業者には明らかであることは明白である。従って、本発明は、本願の請求項の精神の広い範囲の中に入るこのような別法、変更および変形すべてを包含するものである。
【０１４２】
本明細書中で言及した刊行物、特許および特許願はすべて、個々の刊行物、特許または特許願が各々あたかも具体的にかつ個々に引用提示されているのと同程度に、全体を本明細書に援用するものである。さらに、本願で引用または確認したことは本発明の先行技術として利用できるという自白とみなすべきではない。節の見出しが使用されている範囲まで、それらは必ずしも限定として見なされるべきではない。
【図１】
2010517130.tif 000019
【図２】
2010517130.tif 000020
【図３】
2010517130.tif 000021
【図４】
2010517130.tif 000022
【図５】
2010517130.tif 000023
【図７】
2010517130.tif 000024
【図８】
2010517130.tif 000025
【図９】
2010517130.tif 000026
【図１０】
2010517130.tif 000027
【図１２】
2010517130.tif 000028
【図６】
2010517130.tif 000029
【図１１】
2010517130.tif 000030
【国際調査報告】
2010517130.tif 000031
2010517130.tif 000032
2010517130.tif 000033